(57)【要約】【課題】さらなる臨場感向上を図ることができるディスプレイ装置を提供する。【解決手段】表示面１０１ａを有する表示パネル１０１、表示面１０１ａの一部を拡大投影する接眼レンズ１１０、表示パネル１０１と接眼レンズ１１０とを保持する保持部、および保持部を観察者の頭部に装着するための装着部を備え、観察者が接眼レンズ１１０を介して表示面１０１ａを観察した場合に、表示面１０１ａのうち、接眼レンズ１１０により拡大して観察者に観察される領域を第１領域ＡＲ１、接眼レンズ１１０により拡大されずに観察者に観察される領域を第２領域ＡＲ２とし、装着部により保持部が観察者の頭部に装着された状態で、観察者に第１領域ＡＲ１に表示される画像と第２領域ＡＲ２に表示される画像との両方を観察させる。【選択図】図４
2015172616.tif 000002
【特許請求の範囲】
【請求項１】
複数の表示素子が行列状に配列されてなる表示面を有する表示パネルと、
前記表示面と間隔をあけて配置され、前記表示面の一部を拡大投影する接眼レンズと、
前記接眼レンズが前記表示面に対して定位置に配置されるように、前記表示パネルと前記接眼レンズとを保持する保持部と、
前記保持部により保持された状態の前記接眼レンズが観察者の眼に対して定位置に配置されるように、前記保持部を前記観察者の頭部に装着するための装着部と、を備え、
前記装着部により前記保持部が前記観察者の頭部に装着された状態で、前記観察者が前記接眼レンズを介して前記表示面を観察した場合に、前記表示面のうち、前記接眼レンズにより拡大して前記観察者に観察される領域を第１領域、前記接眼レンズにより拡大されずに前記観察者に観察される領域を第２領域とし、
前記装着部により前記保持部が前記観察者の頭部に装着された状態で、当該観察者に前記第１領域に表示される画像と前記第２領域に表示される画像との両方を観察させる
ことを特徴とするディスプレイ装置。
【請求項２】
さらに、前記複数の表示素子の動作を制御する制御回路を備え、
前記制御回路は、
前記表示面から前記第１および第２領域を識別し、
前記第２領域に表示される画像の表示倍率を、前記第１領域に表示される画像の表示倍率よりも大きくする
ことを特徴とする請求項１に記載のディスプレイ装置。
【請求項３】
前記第１領域に表示される画像の表示倍率に対する前記第２領域に表示される画像の表示倍率の比は、前記接眼レンズの倍率と等しい
ことを特徴とする請求項２に記載のディスプレイ装置。
【請求項４】
前記表示面を平面視した場合に、前記複数の表示素子の大きさは等しく、
前記第２領域での画像の描画は、前記第２領域に含まれる表示素子により描画される予定の画像を前記第１領域に含まれる表示素子により描画されたと仮定した場合の、当該描画に用いられる表示素子の数よりも多い数の表示素子を用いて行われる
ことを特徴とする請求項２に記載のディスプレイ装置。
【請求項５】
前記制御回路は、外部から入力される映像信号に基づき、前記複数の表示素子の動作を制御するための制御信号を生成し、
前記制御信号は、前記映像信号のうち前記第２領域に含まれる表示素子により描画される予定の画像に対応する部分について、前記第１領域に含まれる表示素子により描画される予定の画像に対応する部分よりも用いられる表示素子の数を多くするように変換してなる
ことを特徴とする請求項４に記載のディスプレイ装置。
【請求項６】
前記装着部により前記保持部が前記観察者の頭部に装着された状態で、前記観察者が前記接眼レンズを介して前記表示面を観察した場合に、前記表示面には、さらに、前記第１領域に表示される画像が前記接眼レンズにより拡大されることで、拡大虚像の陰になる第３領域があり、
前記第３領域には、画像が表示されない
ことを特徴とする請求項１に記載のディスプレイ装置。
【請求項７】
前記装着部により前記保持部が前記観察者の頭部に装着された状態で、前記観察者が前記接眼レンズを介して前記表示面を観察した場合に、前記表示面には、さらに、前記第１領域に表示される画像が前記接眼レンズにより拡大されることで、拡大虚像の陰になる第３領域があり、
前記第３領域に表示される画像の表示倍率は、前記第１領域に表示される画像の表示倍率よりも大きく、かつ、前記第２領域に表示される画像の表示倍率よりも小さい
ことを特徴とする請求項２に記載のディスプレイ装置。
【請求項８】
前記第３領域に表示される画像の表示倍率は、前記第３領域における前記第１領域に隣接する領域から、前記第３領域における前記第２領域に隣接する領域に亘って漸増する
ことを特徴とする請求項７に記載のディスプレイ装置。
【請求項９】
前記表示面を平面視した場合に、前記第２領域に含まれる表示素子の大きさが、前記第１領域に含まれる表示素子よりも大きく、
前記第２領域での画像の描画は、前記第２領域に含まれる表示素子により描画される予定の画像を前記第１領域に含まれる表示素子により描画されたと仮定した場合の、当該描画に用いられる表示素子の数と同数またはこれより多い数の表示素子を用いて行われる
ことを特徴とする請求項２に記載のディスプレイ装置。
【請求項１０】
前記接眼レンズの観察画角は、６０°以上１２０°以下である
ことを特徴とする請求項１に記載のディスプレイ装置。
【請求項１１】
さらに、前記第２領域を覆うように、前記接眼レンズよりも当該第２領域に近接して配置されたレンズを備え、
当該レンズは、前記第２領域に表示される画像を拡大投影する
ことを特徴とする請求項１に記載のディスプレイ装置。
【請求項１２】
前記接眼レンズを第１の接眼レンズとし、
さらに、前記観察者の眼と前記第２領域とを結ぶ仮想線上に前記接眼レンズと並設して配置された第２の接眼レンズを備え、
前記第２の接眼レンズは、前記第２領域に表示される画像を拡大投影する
ことを特徴とする請求項１に記載のディスプレイ装置。
【請求項１３】
さらに、前記第２領域に表示される画像を反射させて前記観察者の眼に投影するミラーを備える
ことを特徴とする請求項１に記載のディスプレイ装置。
【請求項１４】
前記第２領域が、前記第１領域よりも前記観察者に対して近付く方向に配置されている
ことを特徴とする請求項１に記載のディスプレイ装置。
【請求項１５】
前記表示面を平面視した場合に、前記表示面は三角形以上の多角形状であり、かつ、角部が丸められた形状である
ことを特徴とする請求項１に記載のディスプレイ装置。
【請求項１６】
前記表示面を平面視した場合に、前記表示面は五角形以上の多角形状である
ことを特徴とする請求項１に記載のディスプレイ装置。
【発明の詳細な説明】
【技術分野】
【０００１】
本発明は、ディスプレイ装置に関し、特に、観察者が接眼レンズを介して表示部の表示画像を観察するディスプレイ装置に関する。
【背景技術】
【０００２】
ウェアラブルデバイス（Ｗｅａｒａｂｌｅ  Ｄｅｖｉｃｅ）の１つとして、観察者の頭部に装着するヘッドマウントディスプレイ（Ｈｅａｄ  Ｍｏｕｎｔｅｄ  Ｄｉｓｐｌａｙ：ＨＭＤ）装置が開発されている（例えば、特許文献１）。
図３６は、一般的なヘッドマウントディスプレイ装置９００の構成を示す模式断面図である。ヘッドマウントディスプレイ装置９００は、観察者ＯＢ９の頭部ＨＤ９に装着されるものであり、表示部９０１、接眼レンズ９０２および保持部９０３を備える。表示部９０１は、画像を表示するものであり、複数の表示素子が行列状に配列されてなる表示面９０１ａを有する。接眼レンズ９０２は、観察者ＯＢ９の眼ＥＢ９の前方に表示部９０１と間隔をあけて配置されており、表示面９０１ａの一部を拡大投影する。保持部９０３は、表示部９０１と接眼レンズ９０２とを保持するものである。観察者ＯＢ９は、接眼レンズ９０２を通して、表示面９０１ａに表示される画像の拡大虚像を観察できるようになっている。
【先行技術文献】
【特許文献】
【０００３】
【特許文献１】国際公開第２０１３／０７６９９４号
【特許文献２】特開平７−７２４２０号公報
【非特許文献】
【０００４】
【非特許文献１】谷千束著「高臨場感ディスプレイ」、共立出版、２００１年１０月、ｐ．６１
【非特許文献２】産業技術総合研究所人間福祉医工学研究部門著「人間計測ハンドブック」、朝倉書店、２００３年９月、ｐ．１６９
【発明の概要】
【発明が解決しようとする課題】
【０００５】
ヘッドマウントディスプレイ装置は、居住空間等に設置される据え置き型のディスプレイ装置と比較して、小型でありながら観察者に与える臨場感を向上させることができるとして注目されているが、さらなる臨場感向上が望まれている。
本発明は、観察者が接眼レンズを介して表示部の表示画像を観察するディスプレイ装置において、さらなる臨場感向上を図ることを目的とする。
【課題を解決するための手段】
【０００６】
本明細書に開示されるディスプレイ装置は、複数の表示素子が行列状に配列されてなる表示面を有する表示パネルと、前記表示面と間隔をあけて配置され、前記表示面の一部を拡大投影する接眼レンズと、前記接眼レンズが前記表示面に対して定位置に配置されるように、前記表示パネルと前記接眼レンズとを保持する保持部と、前記保持部により保持された状態の前記接眼レンズが観察者の眼に対して定位置に配置されるように、前記保持部を前記観察者の頭部に装着するための装着部と、を備え、前記装着部により前記保持部が前記観察者の頭部に装着された状態で、前記観察者が前記接眼レンズを介して前記表示面を観察した場合に、前記表示面のうち、前記接眼レンズにより拡大して前記観察者に観察される領域を第１領域、前記接眼レンズにより拡大されずに前記観察者に観察される領域を第２領域とし、前記装着部により前記保持部が前記観察者の頭部に装着された状態で、当該観察者に前記第１領域に表示される画像と前記第２領域に表示される画像との両方を観察させることを特徴とする。
【発明の効果】
【０００７】
本明細書に開示されるディスプレイ装置の表示面には、接眼レンズにより拡大表示される第１領域と、接眼レンズにより拡大表示されない第２領域とがある。また、装着部により保持部が観察者の頭部に装着された状態で、観察者に第１領域に表示される画像と第２領域に表示される画像との両方を観察させる。
かかる構成によると、観察者が接眼レンズを介して表示面を観察した場合に、観察者の視野の中央部分においては、第１領域に表示される画像の鮮明な虚像を、接眼レンズを介して観察させることになる。一方、観察者の視野の周辺部分においては、第２領域に表示される画像を、接眼レンズを介さずに観察させることになる。ここで、人間の眼の特性上、観察者には、第２領域に表示される画像が第１領域に表示される画像の虚像と連続しているように観察される。そのため、第１領域に表示される画像のみを観察させ、第２領域に表示される画像を観察させない場合と比較して、観察者が観察できる画像の範囲が大きくなる。この結果、観察者に与える臨場感が向上する。
【０００８】
以上説明したように、本明細書に開示されるディスプレイ装置によれば、さらなる臨場感向上を図ることできる。
【図面の簡単な説明】
【０００９】
【図１】第１の実施形態に係るディスプレイ装置１０００の概観構成を示す模式図である。
【図２】第１の実施形態に係るディスプレイ装置１０００の回路構成を示すブロック図である。
【図３】１つの有機ＥＬ素子１０４の回路構成の一例を示す回路図である。
【図４】表示パネル１０１の表示面１０１ａについて説明するための図である。
【図５】第１の実施形態に係る表示パネル１０１の表示面１０１ａに表示される画像を示す図である。
【図６】比較例に係る表示パネル９０の表示面９０ａに表示される画像を示す図である。
【図７】比較例に係る表示パネルの表示面に表示される画像のうち、観察者が観察できる範囲を模式的に示す図である。
【図８】第１の実施形態に係る表示パネルの表示面に表示される画像のうち、観察者が観察できる範囲を模式的に示す図である。
【図９】人間の視野内の情報受容特性を示した図である。当該図は、非特許文献１に記載のものである。
【図１０】人間の眼の鼻側水平位置毎の解像度特性を示す図である。
【図１１】比較例において、観察者の眼ＥＢ９が表示面９０ａに表示された画像を観察している様子を鳥瞰的に示す図である。
【図１２】第１の実施形態において、観察者の眼ＥＢ１が表示面１０１に表示された画像を観察している様子を鳥瞰的に示す図である。
【図１３】第１の実施形態に係る制御回路ＣＮの信号処理動作を説明するためのフローチャートである。
【図１４】制御回路ＣＮにおける領域識別の方法の一例を説明するための図である。
【図１５】第１の実施形態の変形例に係る表示パネル１０１の表示面１０１ａに表示される画像を示す図である。
【図１６】第１の実施形態の変形例に係るディスプレイ装置１０００Ａの概観構成を示す模式図である。
【図１７】第２の実施形態に係るディスプレイ装置２０００の概観構成を示す模式図である。
【図１８】第３の実施形態に係るディスプレイ装置３０００の概観構成を示す模式図である。
【図１９】第３の実施形態の変形例に係るディスプレイ装置３０００Ａの概観構成を示す模式図である。
【図２０】第３の実施形態の変形例に係るディスプレイ装置３０００Ｂの概観構成を示す模式図である。
【図２１】第３の実施形態の変形例に係る表示部１１００Ｂの構成を示す模式図である。
【図２２】第４の実施形態に係るディスプレイ装置４０００の概観構成を示す模式図である。
【図２３】第４の実施形態の変形例に係る表示部１１１０Ａの構成を示す模式図である。
【図２４】第４の実施形態の変形例に係る表示部１１１０Ｂの構成を示す模式図である。
【図２５】第５の実施形態に係るディスプレイ装置５０００の概観構成を示す模式図である。
【図２６】第５の実施形態の変形例に係る表示部１１２０Ａの構成を示す模式図である。
【図２７】第５の実施形態の変形例に係る表示部１１２０Ｂの構成を示す模式図である。
【図２８】第５の実施形態の変形例に係るディスプレイ装置の概観構成を示す模式図である。
【図２９】第６の実施形態の第１例に係るディスプレイ装置６０００Ａの外観構成を示す図である。
【図３０】第６の実施形態の第２例に係るディスプレイ装置６０００Ｂの外観構成を示す図である。
【図３１】第６の実施形態の第３例に係るディスプレイ装置６０００Ｃの外観構成を示す図である。
【図３２】第６の実施形態の第４例に係るディスプレイ装置６０００Ｄの外観構成を示す図である。
【図３３】第６の実施形態の第５例に係るディスプレイ装置６０００Ｅの外観構成を示す図である。
【図３４】変形例に係る表示パネル１０１Ａの表示面１０１Ａａに表示される画像を示す図である。
【図３５】比較例に係る表示パネル９０Ａの表示面９０Ａａに表示される画像を示す図である。
【図３６】一般的なヘッドマウントディスプレイ装置９００の構成を示す模式断面図である。
【発明を実施するための形態】
【００１０】
≪第１の実施形態≫
［概観構成］
図１は、第１の実施形態に係るディスプレイ装置１０００の概観構成を示す模式図である。図１に示すように、ディスプレイ装置１０００は、表示部１００、接眼レンズ１１０、保持部１２０および装着部１３０を備える。ディスプレイ装置１０００は、観察者ＯＢ１の頭部ＨＤ１に装着されるものであり、表示部１００の表示面１０１ａに表示される画像を、主に接眼レンズ１１０を介して観察者ＯＢ１に観察させるものである。なお、図１では、装着部１３０以外の構成を断面図で示している。
【００１１】
＜表示部１００＞
表示部１００は、観察者ＯＢ１に観察させるための画像を表示する表示装置である。表示部１００は、複数の表示素子を有する表示パネルと、各表示素子の駆動制御を行う各種回路とを備える。表示面１０１ａにおいて、後述する仕切り部１２３から右方には右眼用画像が表示され、仕切り部１２３から左方には左眼用画像が表示される。表示部１００としては、例えば、液晶表示装置、有機ＥＬ（Ｅｌｅｃｔｒｏ  Ｌｕｍｉｎｅｓｃｅｎｃｅ）表示装置、無機ＥＬ表示装置、プラズマ表示装置、投影型表示装置、反射型液晶表示装置、デジタルマイクロミラーデバイス等を用いることができる。
【００１２】
＜接眼レンズ１１０＞
接眼レンズ１１０は、表示面１０１ａの一部を拡大投影するものであり、表示面１０１ａと間隔をあけて配置されている。接眼レンズ１１０で拡大される虚像は、接眼レンズ１１０の数十［ｃｍ］先から無限遠の位置に投影される。本実施形態では、一例として拡大倍率が１０倍である接眼レンズ１１０が用いられている。接眼レンズ１１０としては、例えば、３０［°］以上の観察画角を有する非球面レンズ、回折レンズ、フレネルレンズ、非球面フレネルレンズ等を用いることができる。
【００１３】
表示面１０１ａに表示される画像を観察者ＯＢ１が観察する際に、観察者ＯＢ１に与える違和感を低減する観点では、接眼レンズ１１０の観察画角は、６０［°］以上１２０［°］以下であることがより望ましい。この詳細については、［その他］の項目で述べる。
＜保持部１２０＞
保持部１２０は、接眼レンズ１１０が表示面１０１ａに対して定位置に配置されるように、表示部１００の表示パネルと接眼レンズ１１０とを保持するためのものである。保持部１２０は、ディスプレイ装置１０００の外囲器を構成する筐体１２１、筐体１２１の内壁から筐体１２１内の空間に延伸する支持部材１２２、表示面１０１ａを左右の領域に仕切るおよび仕切り部１２３を含む。表示パネルおよび接眼レンズ１１０は、支持部材１２２により挟持されることで保持されている。観察者ＯＢ１の視界を遮らないよう、支持部材１２２は透明材料で構成することが望ましい。
【００１４】
＜装着部１３０＞
装着部１３０は、保持部１２０を観察者ＯＢ１の頭部ＨＤ１に装着するためのものである。装着部１３０が観察者ＯＢ１の頭部ＨＤ１に装着されることで、保持部１２０により保持された状態の接眼レンズ１１０が、観察者ＯＢ１の眼ＥＢ１に対して定位置に配置されるようになる。ディスプレイ装置１０００が図１に示すような眼鏡型である場合には、観察者ＯＢ１の耳に掛けられるテンプルが装着部１３０に相当する。
【００１５】
［回路構成］
図２は、第１の実施形態に係るディスプレイ装置１０００の回路構成を示すブロック図である。ディスプレイ装置１０００は、制御回路ＣＮ、複数の表示素子１０４が行列状に配列されてなる表示面１０１ａを含む表示部１００を回路構成として備える。本実施形態では、表示部１００がアクティブマトリクス駆動型の有機ＥＬ表示装置であるとして、以下の説明を行う。
【００１６】
＜制御回路ＣＮ＞
図２に示すように、制御回路ＣＮは、外部から入力される映像信号ＳＧvに基づき、複数の表示素子１０４の動作を制御するための第１の制御信号ＳＧc1および第２の制御信号ＳＧc2を生成する。そして、生成した第１および第２の制御信号ＳＧc1，ＳＧc2を表示部１００に出力する。
【００１７】
＜表示部１００＞
図２に示すように、表示部１００は、表示パネル１０１、走査線駆動回路１０２、ｎ本の走査線ＳＣ１〜ＳＣｎ、信号線駆動回路１０３およびｍ本の信号線Ｄ１〜Ｄｍを含む。
（表示パネル１０１）
表示パネル１０１は、赤色（Ｒ）、緑色（Ｇ）および青色（Ｂ）を発光色とするカラー表示の表示パネルである。表示パネル１０１は、複数の表示素子１０４が行列状に配列されてなる表示面１０１ａを有する。本実施形態においては、表示面１０１ａを平面視した場合に、複数の表示素子１０４の大きさは等しい。Ｒ、ＧまたはＢのいずれかに相当する１つの表示素子１０４が１つのサブ画素であり、Ｒ、ＧおよびＢに相当する３つの表示素子１０４で１つの画素を構成している。本実施形態では表示部１００が有機ＥＬ表示装置であるため、表示素子１０４は有機ＥＬ素子である。以下、有機ＥＬ素子についても「１０４」の符号を用いる。
【００１８】
図３は、１つの有機ＥＬ素子１０４の回路構成の一例を示す回路図である。図３では、一例として、２個のトランジスタと１個の容量からなる、いわゆる２Ｔｒ１Ｃの画素回路を示している。また、図３では、一例として、信号線Ｄ１と走査線ＳＣ１とが交差する画素に相当する有機ＥＬ素子１０４を取り上げて図示している。
図３に示すように、有機ＥＬ素子１０４は、主な回路構成として、第１電極１０５と第２電極１０６とからなる電極対、当該電極対の間に介挿された発光層１０７、駆動トランジスタＴＲ１、スイッチングトランジスタＴＲ２および容量素子Ｃ１を含む。第１電極１０５は陽極であり、発光層１０７に正孔を供給する。第２電極１０６は陰極であり、発光層１０７に電子を供給する。発光層１０７は、正孔と電子の再結合による発光を行う部位である。Ｒ、ＧおよびＢに相当する有機ＥＬ素子１０４の発光層１０７は、それぞれ赤色光を発する発光材料、緑色光を発する発光材料および青色光を発する発光材料を含有する。Ｒ、ＧおよびＢに相当する有機ＥＬ素子１０４は、発光層１０７が含有する材料が異なるのみで、基本的には同じ回路構成である。
【００１９】
駆動トランジスタＴＲ１の制御端子は、容量素子Ｃ１を介して電源線ＰＷ１と接続されており、駆動トランジスタＴＲ１の出力側端子の一端も電源線ＰＷ１と接続されている。表示パネル１０１において、電源線ＰＷ１は、各行に１本ずつ設けられており、複数の有機ＥＬ素子１０４は行単位で共通の電源線ＰＷ１に接続されている。スイッチングトランジスタＴＲ２の制御端子は走査線ＳＣ１を介して走査線駆動回路１０２に接続されている。スイッチングトランジスタＴＲ２の出力側端子の一端は信号線Ｄ１を介して信号線駆動回路１０３に接続されており、スイッチングトランジスタＴＲ２の出力側端子の他端は駆動トランジスタＴＲ１の制御端子に接続されている。
【００２０】
第２電極１０６は不図示のグラウンド線に接続されており、電源線ＰＷ１およびグラウンド線は、それぞれ不図示の高電位側の電源回路および低電位側の電源回路に接続されている。
（走査線駆動回路１０２、信号線駆動回路１０３）
図２および図３に示すように、走査線駆動回路１０２は、制御回路ＣＮから出力される第１の制御信号ＳＧc1を基に、スイッチングトランジスタＴＲ２を駆動制御するための第１の駆動信号を生成する。さらに、走査線駆動回路１０２は、生成した第１の駆動信号をスイッチングトランジスタＴＲ２の制御端子に出力する。
【００２１】
図２および図３に示すように、信号線駆動回路１０３は、制御回路ＣＮから入力される第２の制御信号ＳＧc2を基に、駆動トランジスタＴＲ１を駆動制御するための第２の駆動信号を生成する。さらに、信号線駆動回路１０３は、生成した第２の駆動信号をトランジスタＴＲ１の制御端子に出力する。
信号線Ｄ１と走査線ＳＣ１とが交差する画素に相当する有機ＥＬ素子１０４を例に挙げて説明すると、走査線駆動回路１０２が走査線ＳＣ１に第１の駆動信号を出力している状態で、信号線駆動回路１０３が信号線Ｄ１に第２の駆動信号を出力することにより、信号線Ｄ１と走査線ＳＣ１とが交差する画素に相当する有機ＥＬ素子１０４が第２の駆動信号に応じて点灯する。各有機ＥＬ素子１０４が各信号線Ｄ１〜Ｄｍに出力される第２の駆動信号に応じて点灯することで、表示面１０１ａに画像が表示される。
【００２２】
［表示面１０１ａおよび表示面１０１ａに表示される画像］
＜表示面１０１ａ＞
図４は、表示パネル１０１の表示面１０１ａについて説明するための図である。図４は、表示面１０１ａの平面図と、ディスプレイ装置１０００の模式側面図とを対応させて図示するものである。図４の上側には表示面１０１ａの平面図を、図４の下側にはディスプレイ装置１０００の模式側面図をそれぞれ示している。なお、図を簡略化するため、図４ではディスプレイ装置１０００における表示パネル１０１および接眼レンズ１１０のみを取り出して図示している。
【００２３】
表示面１０１ａは、仮想線Ｌ１を境に左右の領域に仕切られており、仮想線Ｌ１は図１における仕切り部１２３が配される位置に相当する。仮想線Ｌ１から右方には右眼用画像が表示され、仮想線Ｌ１から左方には左眼用画像が表示される。
また、表示面１０１ａは、第１領域ＡＲ１、第２領域ＡＲ２および第３領域ＡＲ３を含む。
【００２４】
（第１領域ＡＲ１）
第１領域ＡＲ１は、２つの交点Ｐ２R同士を互いに結んだ線分を直径とする円Ｃｒ１により区画される領域と、２つの交点Ｐ２L同士を互いに結んだ線分を直径とする円Ｃｒ２により区画される領域とを合わせたものである。ここで、交点Ｐ２Rは、右眼用の接眼レンズ１１０の外縁から表示面１０１ａに直交する方向に延伸する仮想線Ｌ３Rと、表示面１０１ａとの交点である。また、交点Ｐ２Lは、左眼用の接眼レンズ１１０の外縁から表示面１０１ａに直交する方向に延伸する仮想線Ｌ３Lと、表示面１０１ａとの交点である。なお、本実施形態において、２つの交点Ｐ２Rにおける左眼ＥＢ１Lに近い側の交点は、２つの交点Ｐ１Lにおける右眼ＥＢ１Rに近い側の交点と一致する。同様に、２つの交点Ｐ２Lにおける右眼ＥＢ１Rに近い側の交点は、２つの交点Ｐ１Rにおける左眼ＥＢ１Lに近い側の交点と一致する。
【００２５】
図１および図４に示すように、第１領域ＡＲ１は、装着部１３０により保持部１２０が観察者ＯＢ１の頭部ＨＤ１に装着された状態で、観察者ＯＢ１が接眼レンズ１１０を介して表示面１０１ａを観察した場合に、接眼レンズ１１０により拡大して観察者ＯＢ１により視認される領域である。したがって、接眼レンズ１１０を介して実際に観察者ＯＢ１に拡大して視認されるのは、表示面１０１ａに表示される画像のうち第１領域ＡＲ１に含まれる有機ＥＬ素子により描画される画像である。
【００２６】
（第２領域ＡＲ２）
第２領域ＡＲ２は、表示面１０１ａのうち、２つの交点Ｐ１R同士を互いに結んだ線分を直径とする円Ｃｒ３により区画される領域および２つの交点Ｐ１L同士を互いに結んだ線分を直径とする円Ｃｒ４により区画される領域を除く領域である。ここで、交点Ｐ１Rは、観察者の右眼ＥＢ１Rの瞳から右眼用の接眼レンズ１１０の端縁に向かって延伸する仮想線Ｌ２Rと、表示面１０１ａとの交点である。また、交点Ｐ１Lは、観察者の左眼ＥＢ１Lの瞳から左眼用の接眼レンズ１１０の端縁に向かって延伸する仮想線Ｌ２Lと、表示面１０１ａとの交点である。
【００２７】
図１および図４に示すように、第２領域ＡＲ２は、装着部１３０により保持部１２０が観察者ＯＢ１の頭部ＨＤ１に装着された状態で、観察者ＯＢ１が接眼レンズ１１０を介して表示面１０１ａを観察した場合において、接眼レンズ１１０により拡大されずに観察者ＯＢ１に観察される領域である。第２領域ＡＲ２は、接眼レンズ１１０を介しては観察者ＯＢ１に観察されないものの、接眼レンズ１１０を介さずに肉眼では観察者ＯＢ１に観察される領域である。
【００２８】
（第３領域ＡＲ３）
第３領域ＡＲ３は、円Ｃｒ３により区画される領域と円Ｃｒ４により区画される領域とを合わせた領域のうち、第１領域ＡＲ１を除く領域である。
図１および図４に示すように、第３領域ＡＲ３は、装着部１３０により保持部１２０が観察者ＯＢ１の頭部ＨＤ１に装着された状態で、観察者ＯＢ１が接眼レンズ１１０を介して表示面１０１ａを観察した場合に、第１領域ＡＲ１に表示される画像が接眼レンズ１１０により拡大されることで、この拡大虚像の陰になる領域である。第３領域ＡＲ３に表示される画像は、観察者ＯＢ１には鮮明に視認されないか、もしくは全く視認されない。
【００２９】
＜表示面１０１ａに表示される画像等＞
（表示面１０１ａに表示される画像）
ディスプレイ装置１０００は、装着部１３０（図１）により保持部１２０が観察者ＯＢ１の頭部ＨＤ１に装着された状態で、観察者ＯＢ１に第１領域ＡＲ１に表示される画像と第２領域ＡＲ２に表示される画像との両方を観察させる。具体的には、本実施形態に係るディスプレイ装置１０００では、一般的なディスプレイ装置で表示される画像に対して特別な処理を行った画像を、表示パネル１０１の表示面１０１ａに表示することにより、第１領域ＡＲ１に表示される画像と第２領域ＡＲ２に表示される画像との両方を観察者ＯＢ１に観察させる。すなわち、表示面１０１ａに表示される画像のうち、第２領域ＡＲ２に表示される画像の表示倍率は、第１領域ＡＲ１に表示される画像の表示倍率よりも大きい。以下、詳細について説明する。
【００３０】
図５は、第１の実施形態に係る表示パネル１０１の表示面１０１ａに表示される画像を示す図である。図５は、一般的なディスプレイ装置で表示される画像に対して、本実施形態に係る特別な処理を行った画像を示している。一方、図６は、比較例に係る表示パネル９０の表示面９０ａに表示される画像を示す図である。比較例は、一般的なディスプレイ装置で表示される画像に対して特別な処理を行わない場合である。図６における仮想線Ｌ９は、本実施形態（図４、図５）における仮想線Ｌ１と対応する。また、図６における領域ＡＲ９１、領域ＡＲ９２および領域ＡＲ９３は、本実施形態（図４、図５）における第１領域ＡＲ１、第２領域ＡＲ２および第３領域ＡＲ３と対応する。
【００３１】
以下、一般的なディスプレイ装置で表示される画像（特別な処理を行わない画像）を、単に、一般的な画像と記載する。また、一般的なディスプレイ装置で表示される画像に対して特別な処理を行った画像を、単に、特別な画像と記載する。
図５に示すように、本実施形態では、一例として、表示面１０１ａに表示される画像のうち、第３領域ＡＲ３に表示される画像を、第２領域ＡＲ２に拡大して表示させている。また、接眼レンズ１１０の倍率が１０倍であるのに対応して、本実施形態では第３領域ＡＲ３に表示される画像を１０倍に拡大して第２領域ＡＲ２に表示させている。
【００３２】
一方、比較例では、領域ＡＲ９３に表示される画像に対して、拡大して表示させるといった特別な処理は行っていない。
本実施形態のような画像とすることで、観察者に対して、表示面１０１ａに表示される画像の観察画角が広角になったように感じさせることができる。次に、この効果の詳細について、比較例と比べながら説明する。
【００３３】
（特別な画像による効果）
・比較例について
図７は、比較例に係る表示パネルの表示面に表示される画像のうち、観察者が観察できる範囲を模式的に示す図である。図７において、仮想線Ｌ９から右方が右眼用画像であり、左方が左眼用画像である。
【００３４】
まず、図６および図７に示すように、観察者が接眼レンズを介して表示パネルの表示面を観察した場合、観察者の視野の中央部分においては、領域ＡＲ９１（図６）に表示される画像を観察することができる。領域ＡＲ９１に表示される画像は、接眼レンズにより拡大される。そのため、観察者は領域ＡＲ９１に表示される画像の鮮明な虚像を観察できる。領域ＡＲ９１に表示される画像の鮮明な虚像を、図７において「接眼レンズにより実際に拡大して観察される画像」で指し示している。
【００３５】
・本実施形態について
図８は、第１の実施形態に係る表示パネルの表示面に表示される画像のうち、観察者が観察できる範囲を模式的に示す図である。図８において、仮想線Ｌ１から右方が右眼用画像であり、左方が左眼用画像である。
図５および図８に示すように、観察者が接眼レンズを介して表示パネルの表示面を観察した場合、比較例と同様に、観察者の視野の中央部分では、第１領域ＡＲ１（図５）に表示される画像の鮮明な虚像を観察できる。第１領域ＡＲ１に表示される画像の鮮明な虚像を、図８において「接眼レンズにより実際に拡大して観察される画像」で指し示している。
【００３６】
本実施形態では、さらに、比較例でも観察できる画像（正確には画像の虚像である。）に加え、観察者の視野の周辺部分において、第２領域ＡＲ２（図５）に表示される画像も観察することができる。第２領域ＡＲ２に表示される画像は、接眼レンズにより拡大されずに、観察者に観察される。換言すると、観察者は接眼レンズを介さずに、肉眼で第２領域ＡＲ２に表示される画像を観察する。図８において「接眼レンズにより拡大されずに観察される画像」で指し示している。
【００３７】
このように、本実施形態では、観察者は第１領域ＡＲ１に表示される画像の虚像と第２領域ＡＲ２に表示される画像を観察することができる。ここで、図８に示しているように、第１領域ＡＲ１に表示される画像の虚像と第２領域ＡＲ２に表示される画像とは、第３領域ＡＲ３（図５）に相当する領域をはさんで離間している。しかしながら、人間の眼の特性上、観察者には、第２領域ＡＲ２に表示される画像が第１領域ＡＲ１に表示される画像の虚像と連続しているように観察される。人間の眼の特性について、図９および図１０を参照しながら説明する。
【００３８】
図９は、人間の視野内の情報受容特性を示した図である。当該図は、非特許文献１に記載のものである。
図９に示すように、人間の視野は、主に弁別視野、有効視野、誘導視野および補助視野の４つに分類される。弁別視野は、視力や色の弁別などの視機能が最も優れた視野であり、人間の視野の中心である０［°］から数［°］以内の範囲に相当する。有効視野は、眼運動だけで対象を捉えられる視野であり、０［°］から左右に（水平に）約１５［°］、０［°］から上に約８［°］、０［°］から下に約１２［°］以内の範囲である（ただし、弁別視野の範囲を除く）。誘導視野は、提示された対象の存在のみ判定でき、人間の空間座標感覚に影響を与える視野であり、０［°］から左右に３０〜１００［°］、０［°］から上下に（垂直に）２０〜８５［°］の範囲である（ただし、弁別視野および有効視野の範囲を除く）。補助視野は、提示された対象への知覚は極度に低下し、強い刺激などに注視動作を誘発させる程度の働きをする視野であり、０［°］から左右に１００〜２００［°］、０［°］から上下に８５〜１３５［°］の範囲である（ただし、弁別視野、有効視野および誘導視野の範囲を除く）。
【００３９】
また、図１０は、人間の眼の鼻側水平位置毎の解像度特性を示す図である。当該図は、非特許文献２に記載のものである。
図１０に示すように、人間の視野の中心（０［°］）では、空間周波数が高く、コントラストが低い縞模様でも視認できる。なお、空間周波数の単位は、ｃｐｄ（ｃｙｃｌｅｓ  ｐｅｒ  ｄｅｇｒｅｅ）である。しかし、視野の中心から１．５［°］離れただけで（網膜偏位度が１．５［°］であるとき）、最大空間周波数は半減する。また、視野の中心から３０［°］離れると（網膜偏位度が３０［°］であるとき）、視認できる解像度も約２０分の１にまで減少する。視認できる解像度が約２０分の１にまで減少すると、ある２つの画像が連続的に表示されているか否かを判別することはできない。つまり、厳密にある２つの画像が連続的に表示されていなくとも、人間の眼には視覚上、連続的に表示されているように視認される。なお、特に図示しないが、人間の眼の鼻側垂直位置毎の解像度特性も、図１０と同様な傾向となる。
【００４０】
以上のことから、第２領域ＡＲ２に表示される画像を、観察者が誘導視野や補助視野の範囲で観察できるようにすることで、第２領域ＡＲ２に表示される画像が第１領域ＡＲ１に表示される画像の虚像と連続しているように観察させることができる。
その上で、本実施形態では、表示面１０１ａに表示される画像のうち、第２領域ＡＲ２に表示される画像の表示倍率を、第１領域ＡＲ１に表示される画像の表示倍率よりも大きくしている。これにより、第２領域ＡＲ２に表示される画像は接眼レンズにより拡大表示されないものの、第１領域ＡＲ１に表示される画像（接眼レンズにより拡大される前の画像である。）よりも表示倍率が大きいものとなる。そのため、第２領域ＡＲ２に表示される画像の表示倍率を、第１領域ＡＲ１に表示される画像の表示倍率よりも大きくしない場合と比較して、接眼レンズを介さずに肉眼で観察する画像が観察しやすくなる。つまり、本実施形態によれば、特別な処理を行わない比較例の場合と比較して、第２領域ＡＲ２に表示される画像をより観察しやすくなる。この結果、観察できる画像の範囲が大きくなることで、観察者に対して、表示面に表示される画像の観察画角が広角になったように感じさせることができる。この結果、観察者に与える臨場感を向上させることができる。
【００４１】
具体的に図７および図８に示した図に基づいて本実施形態の効果を説明すると、比較例では観察できるネコは２体であるのに対し、本実施形態では３体となる。また、踊っているネコに背後にあるヤシの木についても、比較例よりも本実施形態の方が観察できる本数が増える。つまり、観察できる画角は広角になり、観察できるネコやヤシの木が増えることで、観察者により高い臨場感を与えることができる。
【００４２】
図７および図８は、比較例および本実施形態の場合それぞれについて、表示面に表示される画像のうち観察者が観察できる範囲を平面的に示したものであるが、立体的に示すと、図１１および図１２のようになる。図１１は、比較例において、観察者の眼ＥＢ９が表示面９０ａに表示された画像を観察している様子を鳥瞰的に示す図である。図１２は、第１の実施形態において、観察者の眼ＥＢ１が表示面１０１に表示された画像を観察している様子を鳥瞰的に示す図である。比較例においては、領域ＡＲ９１（図６）に表示される画像の虚像しか観察できないため、図１１に示すように、観察画角が比較的狭い。一方、本実施形態においては、第１領域ＡＲ１（図５）に表示される画像の虚像に加え、第２領域ＡＲ２に表示される画像も観察することができるため、比較例の場合よりも観察画角が広いものとなる。
【００４３】
さらに図４に基づいて本実施形態の効果を説明する。比較例では観察者が観察できるのは第１領域ＡＲ１に表示される画像の虚像のみであるため、比較例における観察画角はθ１で示す角度である。これに対し、本実施形態では、第１領域ＡＲ１に表示される画像の虚像に加え、第２領域ＡＲ２に表示される画像も観察することができるため、本実施形態における観察画角はθ２で示す角度であり、θ１で示す角度よりも広角となる。
【００４４】
また、図９および図１０に示した特性に基づくと、ある１つの画像を２つの画像に分割した場合に、分割した２つの画像との間で、境目に相当する部分のつながりが厳密に一致していなくとも、視覚上、観察者はつながりが一致していないことを認識できない。つまり、分割した２つの画像が離間して表示されていても、観察者の視覚的には、２つの画像が離間していることを認識することができない。そのため、図８に示すように、第１領域ＡＲ１に表示される画像の虚像と第２領域ＡＲ２に表示される画像とが、表示面１０１ａ上は離間しているものの、観察者は視覚上離間していることを認識できない。したがって、第１領域ＡＲ１に表示される画像の虚像と第２領域ＡＲ２に表示される画像とが離間していることは、観察者の視覚に影響を与えない。
【００４５】
さらに、上述したように第３領域ＡＲ３（図４、図５）に表示される画像は、観察者ＯＢ１には鮮明に視認されないか、もしくは全く視認されない。そのため、本実施形態では、一般的な画像における領域ＡＲ９３（図６）に相当する部分を拡大して、第２領域ＡＲ２（図４、図５）に表示することとしている。第１領域に隣接する第３領域に表示される画像を拡大して表示することで、一般的な画像における領域ＡＲ９２に相当する部分を拡大して表示する場合と比較して、第１領域ＡＲ１に表示される画像の虚像と第２領域ＡＲ２に表示される画像との境目において、観察者に与える違和感をより低減することができる。
【００４６】
［制御回路ＣＮにおける処理］
図２に戻り、本実施形態における特別な処理は、制御回路ＣＮにおいて行われる。すなわち、制御回路ＣＮは、表示面１０１ａから第１領域ＡＲ１および第２領域ＡＲ２を識別し、第２領域ＡＲ２に表示される画像の表示倍率を、第１領域ＡＲ１に表示される画像の表示倍率よりも大きくする。ここで、上述したように、本実施形態における表示パネルは、表示面を平面視した場合に、複数の有機ＥＬ素子（表示素子）の大きさが等しい。そのため、第２領域ＡＲ２に表示される画像の表示倍率を、第１領域ＡＲ１に表示される画像の表示倍率よりも大きくするためには、図５を参照しながら説明すると、第２領域ＡＲ２での画像の描画は、第１領域ＡＲ１での描画に用いられる有機ＥＬ素子の数よりも多い数の有機ＥＬ素子を用いて描画を行う必要がある。すなわち、第２領域ＡＲ２での画像の描画は、第２領域ＡＲ２に含まれる有機ＥＬ素子により描画される予定の画像を第１領域ＡＲ１に含まれる有機ＥＬ素子により描画されたと仮定した場合の、描画に用いられる有機ＥＬ素子の数よりも多い数の有機ＥＬ素子を用いて行う必要がある。
【００４７】
具体的な数値を挙げて説明する。図５に示すように、本実施形態では第３領域ＡＲ３に表示される画像を１０倍に拡大して第２領域ＡＲ２に表示させることとしている。そのため、例えば、第３領域ＡＲ３に表示される画像が、第３領域ＡＲ３に含まれる有機ＥＬ素子を３万個（１００画素×１００画素×３色）用いて描画されている場合には、第２領域ＡＲ２では３００万個（約１０００画素×約１０００画素×３色）の有機ＥＬ素子を用いて、第３領域ＡＲ３に表示される画像が描画される。
【００４８】
図２に示すように、制御回路ＣＮは、映像信号ＳＧvに対し特別な処理を行うことで、特別な画像を描画するための第１および第２の制御信号ＳＧc1，ＳＧc2を生成する。映像信号ＳＧvに基づいて描画される画像は、一般的な画像に相当する。制御回路ＣＮで行われる信号処理について、図２、図５、図６、図１３および図１４を用いてもう少し詳細に説明する。
【００４９】
図１３は、第１の実施形態に係る制御回路ＣＮの信号処理動作を説明するためのフローチャートである。制御回路ＣＮは入力された映像信号ＳＧvを、制御回路ＣＮに内蔵の記憶部（ＶＲＡＭ）に書き込む（ステップＳ１）。次に、映像信号ＳＧvのうち、領域ＡＲ９１（図６）を識別する（ステップＳ２）。この領域の識別について、図１４を用いて説明する。
【００５０】
図１４は、制御回路ＣＮにおける領域識別の方法の一例を説明するための図である。図１４の上方に示す図は、表示面１０１ａを、その水平方向をｘ軸、垂直方向をｙ軸にとったｘｙ直交座標系上に表したものである。なお、表示面１０１ａと表示面９０ａとは、表示される画像が異なるのみで、水平画素数および垂直画素数は同じであるため、１つの図にまとめて図示している。表示面１０１ａは、水平画素数がＸ個、垂直画素数がＹ個であり、表示面１０１ａにおける最左下の画素を原点（０，０）としている。また、円Ｃｒ１および円Ｃｒ３の中心Ｏ1の座標を（α，γ）、円Ｃｒ２および円Ｃｒ４の中心Ｏ2の座標を（β，γ）としている。さらに、図１４に示すｒは円Ｃｒ１の半径および円Ｃｒ２の半径であり、Ｒは円Ｃｒ３の半径および円Ｃｒ４の半径である。表示面１０１ａを構成する各表示素子（画素）をｘｙ直交座標系上の座標で表し、この座標に基づいて、各領域の識別を行う。
【００５１】
図１４の中ほどには円Ｃｒ１〜Ｃｒ１の式を、下方には領域ＡＲ１〜ＡＲ４を識別するための条件を示している。図１３のステップＳ２においては、図１４の下方に示すように、（ｘ−α）2＋（ｙ−γ）2≦ｒ2を満たす座標、および（ｘ−β）2＋（ｙ−γ）2≦ｒ2を満たす座標を選び出すことで領域ＡＲ９１を識別する。本ステップにて選び出した各座標は、第１領域ＡＲ１（図５）に対応する座標として、記憶部に記憶する。
【００５２】
ステップＳ３においては、ｘ≦Ｘかつｙ≦Ｙを満たす座標のうち、Ｒ2＜（ｘ−α）2＋（ｙ−γ）2を満たす座標と、ｘ≦Ｘかつｙ≦Ｙを満たす座標のうち、Ｒ2＜（ｘ−β）2＋（ｙ−γ）2を満たす座標とを選び出すことで領域ＡＲ９２を識別する。本ステップにて選び出した各座標は、第２領域ＡＲ２（図５）に対応する座標として、記憶部に記憶する。
【００５３】
続いて、ステップＳ４では、ｒ2＜（ｘ−α）2＋（ｙ−γ）2≦Ｒ2を満たす座標およびｒ2＜（ｘ−β）2＋（ｙ−γ）2≦Ｒ2を満たす座標を選び出すことで、領域ＡＲ９３を識別する。本ステップにて選び出した各座標は、第３領域ＡＲ３（図５）に対応する座標として、記憶部に記憶する。
次いでステップＳ５では、ステップＳ２で記憶した第１領域ＡＲ１に対応する座標に基づき、記憶部に書き込まれた映像信号ＳＧvから第１領域ＡＲ１に対応する信号を抽出し、記憶部に記憶する。ステップＳ５で記憶された信号は、映像信号ＳＧvのうち、第１領域ＡＲ１に含まれる表示素子により描画される予定の画像に対応する部分である。また、本ステップで記憶された信号は、第１および第２の制御信号ＳＧc1，ＳＧc2（図２）のうち、第１領域ＡＲ１に含まれる表示素子に出力される部分に相当する。
【００５４】
ステップＳ６でも同様に、ステップＳ４で記憶した第３領域ＡＲ３に対応する座標に基づき、記憶部に書き込まれた映像信号ＳＧvから第３領域ＡＲ３に対応する信号を抽出し、記憶部に記憶する。ステップＳ６で記憶された信号は、第１および第２の制御信号ＳＧc1，ＳＧc2のうち、第３領域ＡＲ３に含まれる表示素子に出力される部分に相当する。また、本実施形態では、第３領域ＡＲ３に領域ＡＲ９３に相当する部分を拡大して、第２領域ＡＲ２に表示するようにしているため、本ステップで記憶された信号は、映像信号ＳＧvのうち第２領域ＡＲ２に含まれる表示素子により描画される予定の画像に対応する部分でもある。
【００５５】
次に、ステップＳ７では、ステップＳ６で記憶した信号に基づいて描画される画像を、１０倍に拡大する。この拡大処理により、ステップＳ６で記憶された信号について、ステップＳ５で記憶された信号に係る部分よりも、用いられる表示素子の数が多くなるように変換される。これにより、第２領域ＡＲ２に表示される画像の表示倍率が、第１領域ＡＲ１に表示される画像の表示倍率よりも大きくなる。拡大後の画像に係る信号は記憶部に記憶される。
【００５６】
そして、ステップＳ８では、ステップＳ３で記憶した第２領域ＡＲ２に対応する座標に基づき、ステップＳ７で記憶した信号の座標を、第２領域ＡＲ２に対応する座標に書き換えるとともに、書き換えた後の信号を記憶する。ステップＳ８で記憶された信号は、第１および第２の制御信号ＳＧc1，ＳＧc2のうち、第２領域ＡＲ２に含まれる表示素子に出力される部分に相当する。
【００５７】
ステップＳ９では、ステップＳ５、ステップＳ６およびステップＳ８で記憶した各信号を読み出すことで、第１および第２の制御信号ＳＧc1，ＳＧc2を生成する。生成された第１および第２の制御信号ＳＧc1，ＳＧc2は、走査線駆動回路１０２および信号線駆動回路１０３に出力される（図２）。
［その他］
（１）本実施形態においては、接眼レンズ１１０の倍率が１０倍であるのに対応して、第３領域ＡＲ３に表示される画像を１０倍に拡大して第２領域ＡＲ２に表示させている。このように、第３領域ＡＲ３に表示される画像の表示倍率に対する、第２領域ＡＲ２に表示される画像の表示倍率の比は、接眼レンズ１１０の倍率と等しくすることが望ましい。このようにすることによって、観察者に観察される第１領域ＡＲ１に表示される画像の虚像と第２領域ＡＲ２に表示される画像の大きさをほぼ揃えることができるため、観察者に与える違和感をより低減することが可能である。
【００５８】
（２）説明の簡略化のため、図４に示す図は必ずしも厳密ではない部分があり、第１、第２および第３領域ＡＲ１，ＡＲ２，ＡＲ３の規定方法は、図４に示すものに限定されない。例えば、図４においては、表示面１０１ａに対して垂直に延伸する仮想線Ｌ３RおよびＬ３Lにより、第１領域ＡＲ１が規定されると説明した。しかしながら、垂直に延伸するのではなく、外側に広がるように延伸する仮想線により、第１領域ＡＲ１が規定される場合もある。つまり、第１、第２および第３領域ＡＲ１，ＡＲ２，ＡＲ３は接眼レンズ１１０の倍率や配置によって変わるものであり、例えば、第３領域ＡＲ３が第１域ＡＲ１と重なるような場合もあり得る。
【００５９】
（３）本実施形態では、図５に示すように、表示面１０１ａの第３領域ＡＲ３に表示される予定の画像をそのまま第３領域ＡＲ３に表示した上で、第３領域ＡＲ３に表示される予定の画像を拡大して第２領域ＡＲ２にも表示することとしたが、これに限定されない。図１５は、第１の実施形態の変形例に係る表示パネル１０１の表示面１０１ａに表示される画像を示す図である。図１５に示すように、第３領域ＡＲ３には、第３領域ＡＲ３に表示される予定の画像が表示されないこととしてもよい。上述したように、第３領域ＡＲ３に表示される画像は観察者には鮮明に視認されないか、または全く視認されず、さらに、第３領域ＡＲ３に表示される予定の画像は第２領域ＡＲ２にも表示される。したがって、第３領域ＡＲ３に画像が表示されないこととしても、観察者が表示面１０１ａに表示される画像を観察するうえでは影響がない。
【００６０】
また、第３領域に表示される画像が、観察者に比較的視認されやすい場合には、第３領域に表示される予定の画像ではなく、第２領域に表示される予定の画像を第２領域に拡大して表示させることとするのが望ましい。このようにすることで、観察者に与える違和感が低減される。かかる場合、第３領域に表示される画像の表示倍率を、第１領域に表示される画像の表示倍率よりも大きく、かつ、第２領域に表示される画像の表示倍率よりも小さくすることとしてもよい。第１領域に表示される画像の虚像、第３領域に表示される画像および第２領域に表示される画像の順に、観察者に観察される画像の大きさを段階的に大きくすることができるため、観察者に与える違和感をさらに低減することが可能である。より望ましくは、第３領域に表示される画像の表示倍率が、第３領域における第１領域に隣接する領域から、第３領域における第２領域に隣接する領域に亘って漸増するようにする構成である。
【００６１】
（４）本実施形態では、図５に示すように、第３領域に表示される予定の画像のみを拡大して第２領域に表示することとしたが、これに限定されない。拡大される画像は、第３領域から外側に表示される予定の画像（第３領域に表示される予定の画像を含む。）であればよい。例えば、第２領域が第３領域と比較して相当大きい場合は、第２領域および第３領域に表示される予定の画像の両方を拡大して、第２領域に表示することとしてもよい。
【００６２】
（５）本実施形態では、表示面に表示される画像のうち、観察者に接眼レンズにより拡大して表示されない領域の画像を拡大して表示することとしている。このようにするためには、当然のことながら、表示面の大きさは接眼レンズの有効径よりも大きいものである必要がある。
（６）上述したように、第１領域に表示される画像を弁別視野や有効視野の範囲で観察できるようにし、第２領域に表示される画像を観察者が誘導視野や補助視野の範囲で観察できるようにすることが望ましい。また、誘導視野および補助視野は、視野の中心（０［°］）から左右に約３０［°］以上離れた範囲である。ここで、人間の眼は視野の中心から左右に１５［°］まで動かすことができる。そのため、視野の中心から左右に４５［°］（＝１５＋３０［°］）以内の範囲で第１領域に表示される画像を観察できるようにし、かつ、視野の中心から左右に４５［°］以上離れた範囲で第２領域に表示される画像を観察できるようにすることが望ましい。
【００６３】
以上のことから、接眼レンズの観察画角は、視野の中心から左右に４５［°］以内、すなわち９０［°］（＝４５［°］×２）程度であるのが望ましいことがわかる。
ただし、観察画角はアイレリーフや製品バラツキによって変わる。したがって、接眼レンズ観察画角は、９０［°］に対してこれらの要因を加味して、例えば、６０［°］以上１２０［°］以下であることが望ましい。
【００６４】
（７）観察画角を広角にする方法としては、本実施形態で説明した方法のほか、例えば、接眼レンズを大型化することによっても実現することが可能である。しかしながら、接眼レンズを大型化する方法では、接眼レンズの大型化によりディスプレイ装置が重量化、大型化するという問題がある。さらに、原理上、観察画角を１８０［°］を超える画角に広げることができないという問題がある。一方、本実施形態に係る方法によれば、ディスプレイ装置が重量化、大型化するという問題は招来せず、また観察画角を１８０［°］を超える画角に広げることも可能である。
【００６５】
（８）図１６は、第１の実施形態の変形例に係るディスプレイ装置１０００Ａの概観構成を示す模式図である。以降の図において、第１の実施形態に係るものと同様の構成については同符号を付し、説明を省略する。
ディスプレイ装置１０００Ａは、ディスプレイ装置１０００の構成に加え、さらに第２の接眼レンズ１１１を備える。第２の接眼レンズ１１１は、観察者ＯＢ１の眼ＥＢ１と第２領域ＡＲ２とを結ぶ仮想線上Ｌ３R，Ｌ３Lに接眼レンズ１１０と並設して配置され、かつ、接眼レンズ１１０を囲繞する。なお、図１６では観察者ＯＢ１の眼ＥＢ１と第２領域ＡＲ２とを結ぶ仮想線として、仮想線Ｌ３R，Ｌ３Lを図示しているが、これは単なる一例であり、観察者ＯＢ１の眼ＥＢ１と第２領域ＡＲ２とを結ぶ仮想線は他にも引くことができる。第２の接眼レンズ１１１としては、例えば、非球面レンズ、回折レンズ、フレネルレンズ、非球面フレネルレンズ等を用いることができる。なお、第２の接眼レンズ１１１は、保持部１２０Ａの支持部材１２４により支持されている。
【００６６】
第２の接眼レンズ１１１は、第２領域ＡＲ２に表示される画像を拡大投影するものである。観察者ＯＢ１は、第２の接眼レンズ１１１を介して、第２領域ＡＲ２に表示される画像の拡大虚像を観察することになる。このような構成により、第２領域ＡＲ２に表示される画像を遠方に投影することができるため、第１領域ＡＲ１と第２領域ＡＲ２の虚像の位置が近付き、観察者ＯＢ１に与える画像の境目における違和感を低減され、その結果臨場感が増す。
【００６７】
（９）引き続き、図１６を参照しながら他の変形例について説明する。図１６に示すディスプレイ装置１０００Ａは、ディスプレイ装置１０００の構成に加え、さらに、環状レンズ１１２を備える。環状レンズ１１２は、第２領域ＡＲ２を覆うように、接眼レンズ１１０よりも第２領域ＡＲ２に近接して配置され、かつ、接眼レンズ１１０を囲繞する。環状レンズ１１２としては、例えば、マイクロレンズアレイ、フレネルレンズ等を用いることができる。環状レンズ１１２は、第２領域ＡＲ２に表示される画像を拡大投影するものである。環状レンズ１１２により得られる効果は、第２の接眼レンズ１１１と同様である。したがって、環状レンズ１１２を設けることにより、観察者ＯＢ１に与える臨場感を向上させることができる。
【００６８】
（１０）図４等に示したように、本実施形態においては、表示面１０１ａを平面視した場合に、表示面１０１ａが四角形状であることとした。しかし、図９に示したように、人間の視野の範囲は楕円状であるため、表示面の平面視形状は、楕円状とすることが望ましい。表示パネルの平面視形状を表示面の平面視形状と合わせることで、人間の視野内におさまらない表示面の角部を省くことができ、ディスプレイ装置の小型化および軽量化に貢献できる。楕円状とする場合のほか、表示面１０１ａが三角形以上の多角形状である場合には、角部が丸められた形状であることとしても、同様の効果を得ることができる。さらに、表示面１０１ａを五角形以上の多角形状とすることによっても、同様の効果は得られる。
【００６９】
≪第２の実施形態≫
図１７は、第２の実施形態に係るディスプレイ装置２０００の概観構成を示す模式図である。本実施形態に係るディスプレイ装置２０００は、第１の実施形態に係るディスプレイ装置１０００の構成に加え、さらに、第２領域ＡＲ２に表示される画像を反射させて観察者ＯＢ１の眼ＥＢ１に投影するミラー１４０を備える。
【００７０】
第１の実施形態では、表示面の大きさを無限大にしたとしても、１８０［°］を超える水平画角とすることはできない。しかしながら、本実施形態では、観察者ＯＢ１の瞳ＥＢ１の周囲をミラー１４０で覆うことで、１８０［°］を超える水平画角を実現することができる。
また、上述しているように、第３領域ＡＲ３（図４）に表示される画像は、観察者ＯＢ１には鮮明に視認されないか、もしくは全く視認されない。しかしながら、ミラー１４０を設けることで、ミラー１４０の反射を用いて、第３領域ＡＲ３に表示される画像を観察者ＯＢ１に観察させることができる。この結果、ディスプレイ装置をさほど大型化および重量化することなく、第１の実施形態の場合よりも、観察者ＯＢ１に対し観察画角が広角になったように感じさせることができる。
【００７１】
図１７では、ミラー１４０を４面に設ける例について図示しているが、１面当たりのミラーの枚数は特に限定されない。例えば、ミラー１４０として楕円ミラーを用い、片方の焦点位置を観察者ＯＢ１の眼ＥＢ１にし、もう片方の焦点位置を表示面１０１ａより眼ＥＢ１の側にすることが望ましい。このようにすることによって、１面当たり１枚のミラーで、観察者ＯＢ１は反転しない画像を観察することができ、使用するミラーの枚数を最低限にすることができる。
【００７２】
また、１面当たりミラーを複数枚使用することとすることもできる。１面当たりミラーを複数枚使用する場合、ミラーを奇数枚とすると画像が反転してしまうが、ミラーを偶数枚用いることで、画像が反転しないようにすることができる。さらに、１面当たり奇数枚のミラーを用いる場合でも、映像処理を用いることで、観察者ＯＢ１に観察させる画像を反転させないようにすることができる。
【００７３】
なお、ミラーの代わりにプリズムを用いて、表示面１０１ａに表示される画像を反射または屈折させることとしてもよい。
≪第３の実施形態≫
第１および第２の実施形態に係るディスプレイ装置は、表示面が平面であり、第１領域および第２領域が同一面上に位置している例について説明したが、これに限定されない。本実施形態では、第１領域および第２領域が同一面上に位置していないディスプレイ装置について説明する。
【００７４】
図１８は、第３の実施形態に係るディスプレイ装置３０００の概観構成を示す模式図である。本実施形態に係る表示部１１００は、１枚の表示パネル１１０１と、２枚の表示パネル１１０２を有する。表示パネル１１０１は、観察者ＯＢ１の眼ＥＢ１の正面に配置されている。表示パネル１１０２は、観察者ＯＢ１の視野の左右に配置されている。
ここで、「装着部により保持部が観察者の頭部に装着された状態で、観察者が接眼レンズを介して表示面を観察した場合に」における「表示面」とは、装着部により保持部が観察者の頭部に装着された状態で、観察者の正面に位置する表示面をいう。一方、「表示面のうち、接眼レンズにより拡大して観察者に観察される領域を第１領域、接眼レンズにより拡大されずに観察者に観察される領域を第２領域とし」における「表示面」には、観察者の正面に位置する表示面のほか、他の表示面も含まれるものとする。
【００７５】
したがって、本実施形態における「装着部により保持部が観察者の頭部に装着された状態で、観察者が接眼レンズを介して表示面を観察した場合に」の「表示面」は、表示パネル１１０１の表示面１１０１ａである。また、本実施形態における第１領域は主に表示面１１０１ａ上に存在し、第２領域は表示面１１０１ａ上と表示パネル１１０２の表示面１１０２ａ上の両方に存在する。つまり、第２領域が、第１領域よりも観察者ＯＢ１に対して近付く方向に配置されている。
【００７６】
表示面１１０１ａには、接眼レンズ１１０により拡大して観察者ＯＢ１に観察させる画像が表示される。図５を用いて説明すると、表示面１１０１ａには、特別な画像における第１領域ＡＲ１に相当する部分が表示される。一方、表示パネル１１０２の表示面１１０２ａには、接眼レンズ１１０により拡大させずに観察者ＯＢ１に観察させる画像が表示される。図５を用いて説明すると、表示面１１０１ａには、特別な画像における第２領域ＡＲ２に相当する部分が表示される。
【００７７】
第２の実施形態のようにミラーを配置する構成では、観察者ＯＢ１によっては、観察者ＯＢ１のまぶたや頬にミラーが接触してしまい、不快感を与えるおそれがある。しかしながら、本実施形態の構成では、観察者ＯＢ１に近接する部品がないため、観察者ＯＢ１のまぶたや頬に部品が接触するおそれが少なく、不快感を与える可能性を低減することができる。さらに、本実施形態の構成では、観察者ＯＢ１の正面に位置する表示パネル１１０１の大きさを小型化および軽量化することができるのに加え、表示部がより観察者ＯＢ１の頭部に沿うように配置されるため、ディスプレイ装置の装着感を向上させる効果も期待される。
【００７８】
また、図１８に示すように、接眼レンズ１１０による拡大虚像の陰になり観察者ＯＢ１に視認されにくい領域に、表示パネル１１０１と表示パネル１１０２とのつなぎ目を配置する構成が望ましい。このようにすることで、観察者ＯＢ１に与える違和感をさらに低減することが可能である。なお、必ずしも接眼レンズ１１０による拡大虚像の陰になる領域に表示パネル１１０１と表示パネル１１０２とのつなぎ目を配置する必要はなく、接眼レンズ１１０による拡大虚像の陰にならない領域に、上記つなぎ目が配置される構成であってもよい。
【００７９】
図１０に示したように、網膜偏位度が大きくなるほど、人間の眼の解像度は低下する。このことから、観察者ＯＢ１の左右に位置する表示パネル１１０２には、解像度の低い画像を表示したとしても、観察者ＯＢ１の視覚上は影響がない。したがって、表示パネル１１０１よりも解像度が大幅に低い表示パネルを表示パネル１１０２に用いたとしても、観察者ＯＢ１の視覚上は影響がない。そのため、表示パネル１１０２として解像度の低い表示パネルを用いることで、ディスプレイ装置の製造コスト削減を図ることができる。
【００８０】
［変形例］
（１）図１９は、第３の実施形態の変形例に係るディスプレイ装置３０００Ａの概観構成を示す模式図である。ディスプレイ装置３０００Ａは、ディスプレイ装置３０００の構成に加え、さらに、レンズ１１３を備える。レンズ１１３は、第２領域に相当する表示面１１０２ａを覆うように、接眼レンズ１１０よりも表示面１１０２ａに近接して配置されている。レンズ１１３により得られる効果は、第１の実施形態の変形例に係るディスプレイ装置１０００Ａ（図１６）における第２の接眼レンズ１１１や環状レンズ１１２と同様である。
【００８１】
（２）図２０は、第３の実施形態の変形例に係るディスプレイ装置３０００Ｂの概観構成を示す模式図である。ディスプレイ装置３０００Ｂには２つの変形例が含まれている。
今まで説明してきたディスプレイ装置はいずれも、観察者の正面に位置する表示パネルに右眼用画像と左眼用画像の両方を表示させることとしていたが、これに限定されない。本変形例では、右眼用画像を表示させる表示パネルと左眼用画像を表示させる表示パネルとを別にしている。すなわち、本変形例に係る表示部１１００Ａは２枚の表示パネル１１０３を有し、一方の表示パネル１１０３に右眼用画像を表示し、他方の表示パネル１１０３に左眼用画像を表示する。このような構成にすることで、保持部１２０Ｂにおいて表示面を左右に仕切る仕切り部が不要となり、ディスプレイ装置の軽量化を図ることができる。
【００８２】
また、ディスプレイ装置３０００は、観察者ＯＢ１の視野の左右に表示パネル１１０２を備えるものであった。本変形例に係るディスプレイ装置３０００Ａは、さらに、観察者ＯＢ１の鼻側にも２枚の表示パネル１１０４を備える。表示パネル１１０４の表示面には、特別な画像（図５）の第３領域ＡＲ３における鼻側の領域に相当する部分の画像が表示される。このような構成により、観察者ＯＢ１に対し、観察画角がさらに広角になったように感じさせることができ、臨場感がさらに向上する。
【００８３】
なお、図２０に示す構成のほか、保持部における仕切り部（図１における仕切り部１２３）の表面に表示パネルを貼付する構成であってもよい。
（３）図２１は、第３の実施形態の変形例に係る表示部１１００Ｂの構成を示す模式図である。表示部１１００Ｂでは、さらに、観察者ＯＢ１の視野の上下にも２枚の表示パネル１１０５を配置している。このような構成により、観察者ＯＢ１の視野の上下方向においても観察画角が広がる。この結果、観察者ＯＢ１に対しより高い臨場感を与えることができる。
【００８４】
図２１に示す例のほか、観察者ＯＢ１の視野の左上方向、左下方向、右上方向および右下方向にも表示パネルを配置することとしてもよい。また、図２１では、観察者ＯＢ１の正面に位置する表示パネル１１０１を四角形状としているが、隣接する表示パネルを配置しやすくするために、他の形状とすることとしてもよい。
≪第４の実施形態≫
図２２は、第４の実施形態に係るディスプレイ装置４０００の概観構成を示す模式図である。本実施形態に係る表示部１１１０は、１枚の表示パネル１１１１と、２枚の表示パネル１１１２を有する。表示パネル１１１２は、第３の実施形態に係る表示パネル１１０２（図１８）と同様に、観察者ＯＢ１の視野の左右に配置されており、表示パネル１１０２と同様の機能を有するものである。しかし、本実施形態に係る表示パネル１１１２は可撓性の表示パネル（フレキシブルディスプレイ）であり、湾曲した構成である。
【００８５】
可撓性の表示パネル１１１２は、例えば、ポリイミドフィルム上に有機ＥＬ素子を成膜した薄型の有機ＥＬパネル等を用いることができる。表示パネル１１１２は、例えば、平板状の表示パネルを準備し、表示パネルを湾曲した型に押し当て、曲げ加工を施すことにより作製することができる。表示パネル１１１２は、曲げ加工に耐えられる素材で形成する必要はあるが、ディスプレイ装置に４０００に装着された後は湾曲した形状が維持され、逆方向に湾曲する形状に変化させる必要がないため、一回成型で湾曲形状に成型することとしてもよい。また、表示パネル１１１２は、必ずしも板状である必要はなく、表示パネル１１１２の表示面が曲面となっていればよい。例えば、ガラス基板やシリコン基板上に平面状の表示パネルを形成した後、その基板表面の両端部に透明層を厚く形成し、透明層の両端部を切削あるいは溶解させることで、表示面を湾曲した形状に加工した表示パネルを用いることとしてもよい。
【００８６】
第３の実施形態では、観察者ＯＢ１の視野の左右に配置される表示パネル１１０２は、観察者ＯＢ１の頬に近接しやすい。しかしながら、本実施形態の構成によれば、第３の実施形態と比較して、観察者ＯＢ１の視野の左右に配置される表示パネル１１１２を観察者ＯＢ１の頬から遠ざけることができる。そのため、観察者ＯＢ１に与える不快感を低減することができる。また、第３の実施形態の場合と比べ、観察者ＯＢ１と表示パネル１１１２との距離が長くなるため、接眼レンズ１１０や表示パネル１１１１，１１１２の曇りも防止できる。
【００８７】
さらに、可撓性の表示パネルは、一般的に用いられている非可撓性の表示パネル（例えば、ガラス基板を基材とする表示パネル）と比較して軽量であるが、現在の技術では、非可撓性の表示パネルと比較して、高い解像度のものを製造することが困難である。しかしながら、上述したように、観察者ＯＢ１の視野の左右に配置される表示パネルとして解像度が低いものを用いたとしても、観察者ＯＢ１の視覚上は影響がない。そのため、表示パネル１１１２として低解像度の可撓性表示パネルを用いたとしても、観察者ＯＢ１の視覚に影響を与えない。したがって、表示パネル１１１２として可撓性の表示パネルを用いることで、第３の実施形態に係るディスプレイ装置と比較して、軽量化することができる。
【００８８】
なお、観察者ＯＢ１の正面に位置する表示パネルは、その表示面が接眼レンズ１１０により拡大表示して観察者ＯＢ１に観察されるため、高い解像度であることが望ましい。したがって、表示パネル１１１１等の観察者ＯＢ１の正面に位置する表示パネルは、一般的に用いられている非可撓性の表示パネルを用いることが望ましい。
表示パネル１１１２の曲率または曲げる角度については、像面湾曲を補正するのに適した曲率または角度に設定することが望ましい。表示パネル１１１２の曲率は、例えば、接眼レンズ１１０の屈折率と焦点距離との積を基準にして設定することができる。表示パネル１１１２の曲率は、例えば、１０［ｍｍ］〜３０［ｍｍ］の範囲に設定することが好ましい。
【００８９】
［変形例］
（１）図２３は、第４の実施形態の変形例に係る表示部１１１０Ａの構成を示す模式図である。第３の実施形態の変形例に係る表示部１１００Ｂ（図２１）と同様に、観察者ＯＢ１の視野の上下にも２枚の可撓性の表示パネル１１１３を配置している。このような構成により、観察者ＯＢ１の視野の上下方向においても観察画角が広がり、観察者ＯＢ１に対しより高い臨場感を与えることができる。また、第３の実施形態の変形例（３）で記載した変形例を本変形例に適用することもできる。
【００９０】
（２）図２４は、第４の実施形態の変形例に係る表示部１１１０Ｂの構成を示す模式図である。本変形例に係る表示部１１１０Ｂでは、第３の実施形態の変形例（図２０）と同様に、
２枚の表示パネル１１１４に右眼用画像と左眼用画像を別個に表示させる。表示パネル１１１４は、一般的に用いられている非可撓性の表示パネルである。さらに、表示パネル１１１４の外周を囲繞するように、表示パネル１１１５が配置されている。表示パネル１１１５は、台形の可撓性の表示パネルを丸めて構成することができる。本変形例によれば、観察者に切れ目のない画像を観察させることができるため、観察者に与える違和感を低減することが可能である。
【００９１】
≪第５の実施形態≫
図２５は、第５の実施形態に係るディスプレイ装置５０００の概観構成を示す模式図である。第４の実施形態において、観察者の正面に位置する表示パネルは、高い解像度を有することが望ましいと述べた。しかしながら、ディスプレイ装置の軽量化を優先する場合や、接眼レンズの倍率が低く、高い解像度が要求されない場合等には、観察者の正面に位置する表示パネルも可撓性表示パネルとするができる。そこで、本実施形態に係る表示部１１２０は、観察者ＯＢ１の正面に位置する表示パネルおよび観察者ＯＢ１の視野の左右に位置する表示パネルを、１枚の可撓性の表示パネル１１２１で構成している。このような構成により、ディスプレイ装置５０００の軽量化を図ることが可能である。また、ディスプレイ装置を構成する部品点数も減少するため、ディスプレイ装置の製造効率を上げることも可能である。
【００９２】
さらに、像面歪曲収差を軽減できるため、観察者ＯＢ１に与える違和感を低減することができる。また、表示パネル１１２１の形状に合わせてディスプレイ装置５０００を丸みを帯びた形状にすることができるため、ディスプレイ装置のデザイン性も向上する。なお、接眼レンズ１１０の光軸近くは収差が無視できるほど小さいため、図２５に示しているように、表示パネル１１２１における観察者ＯＢ１の正面に位置する領域は、平面状にすることが望ましい。
【００９３】
［変形例］
図２６は、第５の実施形態の変形例に係る表示部１１２０Ａの構成を示す模式図である。本変形例に係る表示部１１２０Ａは、ディスプレイ装置５０００における表示パネル１１２１に加え、観察者の視野の上下にも可撓性の表示パネル１１２２を配置した例である。このような構成により、観察者に与える臨場感を高めることができる。
【００９４】
図２７は、第５の実施形態の変形例に係る表示部１１２０Ｂの構成を示す模式図である。本変形例では、第３の実施形態の変形例（図２０）と同様に、２枚の表示パネル１１２３に右眼用画像と左眼用画像を別個に表示させる。さらに、観察者の視野の上下にも可撓性の表示パネル１１２４を配置している。このような構成により、観察者に与える臨場感を高めることができる。
【００９５】
図２８は、第５の実施形態の変形例に係るディスプレイ装置の概観構成を示す模式図である。本変形例に係る表示部１１２０Ｃも図２７に示す表示部１１２０Ｂと同様に、２枚の表示パネル１１２５に右眼用画像と左眼用画像を別個に表示させる。２枚の表示パネル１１２５は可撓性の表示パネルであり、図２４における表示パネル１１１４とは異なり、湾曲した皿状をしている。さらに、各表示パネル１１２５の外周を囲繞するように、表示パネル１１２６が配置されている。表示パネル１１２６も、図２４における表示パネル１１１５と同様に、台形の可撓性の表示パネルを丸めて構成することができる。本変形例によっても、観察者に切れ目のない画像を提示し、観察者に与える違和感を低減することができる。
【００９６】
なお、表示パネル１１２５の帯幅は、全周に亘って一定であることとしてもよいし、全周に亘って一定でないこととしてもよい。例えば、アイカップのように、表示パネル１１２５における観察者ＯＢ１側の端部を観察者ＯＢ１の顔面に沿わせるために、表示パネル１１２５における頭部ＨＤ１の側面に接触する箇所の帯幅を広くした形状にすることとしてもよい。
【００９７】
≪第６の実施形態≫
本実施形態では、ディスプレイ装置の外観構成について説明する。
図２９は、第６の実施形態の第１例に係るディスプレイ装置６０００Ａの外観構成を示す図である。図２９に示すディスプレイ装置６０００Ａは、ゴーグル型のディスプレイ装置である。保持部の一部である筐体６２１Ａ内に、表示パネル、接眼レンズ、表示パネルおよび接眼レンズを保持する支持部材が収容されている。筐体６２１Ａの側面部６２１Ａａにはバンド６３０Ａが取着されており、このバンド６３０Ａが保持部を観察者の頭部に装着するための装着部である。
【００９８】
図３０は、第６の実施形態の第２例に係るディスプレイ装置６０００Ｂの外観構成を示す図である。図３０に示すディスプレイ装置６０００Ｂは、サングラス型のディスプレイ装置である。保持部の一部である筐体６２１Ｂの内側に、表示パネル、接眼レンズ、表示パネルおよび接眼レンズを保持する支持部材が取着されている。テンプル６３０Ｂが保持部を観察者の頭部に装着するための装着部である。なお、テンプル６３０Ｂに表示パネルおよび第２の接眼レンズを配置してもよい。
【００９９】
図３１は、第６の実施形態の第３例に係るディスプレイ装置６０００Ｃの外観構成を示す図である。図３１に示すディスプレイ装置６０００Ｃは、シースルー型のディスプレイ装置であり、眼鏡のフレームに本体部６５０Ｃが取着されたような形状である。本体部６５０Ｃには、表示パネル、接眼レンズ、表示パネルおよび接眼レンズを保持する支持部材が収容されている。ディスプレイ装置６０００Ｃは、本体部６５０Ｃを観察者の頭部に装着するための装着部６３０Ｃを有する。装着部６３０Ｃは、ブリッジ６３０Ｃａ、テンプル６３０Ｃｂおよびノーズパッド６３０Ｃｃで構成される。なお、図３１では右眼用のみに本体部６５０Ｃを有するディスプレイ装置６０００Ｃを図示しているが、左眼用の本体部をさらに設けることとしてもよい。なお、ブリッジ６３０Ｃａ、テンプル６３０Ｃｂおよびノーズパッド６３０Ｃｃに表示パネルおよび第２の接眼レンズを配置してもよい。
【０１００】
図３２は、第６の実施形態の第４例に係るディスプレイ装置６０００Ｄの外観構成を示す図である。図３２に示すディスプレイ装置６０００Ｄは、音声が出力されるヘッドホンと一体化されたディスプレイ装置であり、本体部６５０Ｄ、装着部６３０Ｄおよびヘッドホン部６６０Ｄを含む。本体部６５０Ｄには、表示パネル、接眼レンズ、表示パネルおよび接眼レンズを保持する支持部材が収容されている。装着部６３０Ｄは本体部６５０Ｄを観察者の頭部に装着するためのものであり、イヤーパッド６３０Ｄａとヘッドセット６３０Ｄｂで構成されている。なお、装着部６３０Ｄに表示パネルおよび第２の接眼レンズを配置してもよい。
【０１０１】
図３３は、第６の実施形態の第５例に係るディスプレイ装置６０００Ｅの外観構成を示す図である。図３３に示すディスプレイ装置６０００Ｅは、双眼鏡型のディスプレイ装置である。ディスプレイ装置６０００Ｅは、保持部の一部である筐体６２１Ｅ内に、表示パネル、接眼レンズ６１０Ｅ、表示パネルおよび接眼レンズ６１０Ｅを保持する支持部材が収容されている。装着部６３０Ｅが観察者の眼の周囲に当接することで、保持部により保持された状態の接眼レンズ６１０Ｅが観察者の眼に対して定位置に配置されるようになる。なお、装着部６３０Ｅに表示パネルおよび第２の接眼レンズを配置してもよい。
【０１０２】
［変形例・その他］
以上、第１〜第６の実施形態について説明したが、本発明はこれらの実施形態に限られない。例えば、以下のような変形例等が考えられる。
（１）第１の実施形態においては、図２に示したように、映像信号ＳＧvに対し制御回路ＣＮで特別な処理（映像信号処理）を行うことにより、第２領域に表示される画像の表示倍率を、第１領域に表示される画像の表示倍率よりも大きくするようにする例について説明したが、これに限定されない。他の例について、図３４〜図３５を参照しながら説明する。
【０１０３】
図３４は、変形例に係る表示パネル１０１Ａの表示面１０１Ａａに表示される画像を示す図である。また、図３５は、比較例に係る表示パネル９０Ａの表示面９０Ａａに表示される画像を示す図である。図３４に示される画像が特別な画像であり、図３５に示される画像が一般的な画像である。なお、図３４および図３５では、説明を簡略化するため、右眼用画像か左眼用画像のいずれか一方の画像のみを示している。また、同じく説明を簡略化するため、ドッド絵を用いて説明する。
【０１０４】
図３４に示すように、表示パネル１０１Ａの表示面１０１Ａａには、第１領域ＡＲ１、第２領域ＡＲ２および第３領域ＡＲ３が存在し、これらの領域は第１の実施形態において説明した定義と同じ定義に基づき分けられている。本変形例では、説明の便宜上、第２領域ＡＲ２も第４領域ＡＲ４および第５領域ＡＲ５の２つの領域に分けている。第４領域ＡＲ４および第５領域ＡＲ５の詳細については後述する。また、図３５における領域ＡＲ９１、領域ＡＲ９２および領域ＡＲ９３は、本変形例における第１領域ＡＲ１、第２領域ＡＲ２および第３領域ＡＲ３と対応する。
【０１０５】
本変形例では、図３４に示すように、表示面１０１Ａａを平面視した場合に、第２領域ＡＲ２に含まれる表示素子１０４Ａ２の大きさが、第１領域ＡＲ１に含まれる表示素子１０４Ａ１よりも大きい。本変形例に係る表示パネル１０１Ａは、比較例に係る表示面９０Ａａの領域ＡＲ９２に含まれる表示素子９１Ａを、平面視における大きさが４倍の表示素子１０４Ａ２に置換したものである。本変形例ではさらに、領域ＡＲ９３に含まれる表示素子９１Ａの数の分だけ、表示素子１０４Ａ２を追加している。
【０１０６】
図３４および図３５に示すように、第２領域ＡＲ２における第４領域ＡＲ４に、領域ＡＲ９３に表示される画像を表示し、第５領域ＡＲ５に、領域ＡＲ９２に表示される画像を表示している。このように、本変形例では、表示面１０１Ａａを平面視した場合に、表示素子１０４Ａ２の大きさが、表示素子１０４Ａ１よりも大きくすることで、第２領域ＡＲ２に表示される画像の表示倍率を、第１領域ＡＲ１に表示される画像の表示倍率よりも大きくしている。
【０１０７】
なお、図３４では、第４領域ＡＲ４に含まれる表示素子１０４Ａ２の個数が、図３５の領域ＡＲ９３に含まれる表示素子９１Ａの個数と同数であり、かつ、第５領域ＡＲ５に含まれる表示素子１０４Ａ２の個数が、領域ＡＲ９２に含まれる表示素子９１Ａの個数と同数であることとしたが、これに限定されない。第４領域ＡＲ４に含まれる表示素子１０４Ａ２の個数は、領域ＡＲ９３に含まれる表示素子９１Ａの個数よりも多くすることとしてもよい。同様に、第５領域ＡＲ５に含まれる表示素子１０４Ａ２の個数は、領域ＡＲ９２に含まれる表示素子９１Ａの個数よりも多くすることとしてもよい。また、第１の実施形態で説明した映像信号処理と、本変形例とを組み合わせることとしてもよい。
【０１０８】
（２）第１の実施形態においては、表示面に表示される画像のうち、第２領域に表示される画像の表示倍率を、第１領域に表示される画像の表示倍率よりも大きくすることにより、観察者に第１領域に表示される画像と第２領域に表示される画像との両方を観察させることとしていた。しかしながら、本発明はこれに限定されない。他の方法により、観察者に第１領域に表示される画像と第２領域に表示される画像との両方を観察させることとしてもよい。
【０１０９】
（３）第１領域に表示される画像の虚像と第２領域に表示される画像とを、より違和感なく連続的に観察者に観察させるために、第１領域に表示される画像と第２領域に表示される画像とで、輝度や色合いを異ならせることとしてもよい。
（４）図１３および図１４を用いて説明した制御回路の動作は単なる一例であり、図１３および図１４に示したものに限定されない。例えば、各ステップは図１３に示したものと順序を入れ替えることとしてもよいし、さらに他のステップを含むこととしてもよい。
【０１１０】
（５）第１の実施形態における有機ＥＬ素子１０４の回路構成の説明（図３）において、駆動トランジスタＴＲ１およびスイッチングトランジスタＴＲ２の種類については特に言及しなかったが、これらのトランジスタとしては公知のバイポーラトランジスタまたはユニポーラトランジスタを用いることができる。駆動トランジスタＴＲ１およびスイッチングトランジスタＴＲ２として、ユニポーラトランジスタまたは絶縁ゲート型バイポーラトランジスタ（ＩＧＢＴ）を用いる場合は、制御端子はゲート端子である。一方、ＩＧＢＴを除くバイポーラトランジスタを用いる場合は、制御端子はベース端子である。
【０１１１】
（６）第１の実施形態においては、表示パネルがＲ，Ｇ，Ｂを発光色とするカラー表示のパネルであるとしたが、これに限定されない。表示パネルを、Ｒ，Ｇ，Ｂおよび白色を発光色とするカラー表示のパネルであることとしてもよい。
（７）上記の実施形態および変形例で使用している、材料、数値等は好ましい例を例示しているだけであり、この形態に限定されることはない。また、本発明の技術的思想の範囲を逸脱しない範囲で、適宜変更は可能である。また、他の実施形態との組み合わせは、矛盾が生じない範囲で可能である。さらに、各図は模式図であり、必ずしも厳密に図示されたものではなく、各図面における部材の縮尺は実際のものとは異なる。なお、数値範囲を示す際に用いる符号「〜」は、その両端の数値を含む。
【産業上の利用可能性】
【０１１２】
本発明は、例えば、テレビジョン、コンピュータ、ゲーム機用の画像表示装置や、カメラのファインダー等に好適に利用可能である。
【符号の説明】
【０１１３】
１０００、１０００Ａ、２０００、３０００、４０００、５０００、６０００Ａ〜６０００Ｅ  ディスプレイ装置
１００、１１００、１１００Ａ、１１００Ｂ、１１１０、１１１０Ａ、１１１０Ｂ、１１２０、１１２０Ａ、１１２０Ｂ、１１２０Ｃ  表示部
１１０１、１１０２、１１０３、１１０４、１１０５、１１１１、１１１２、１１１３、１１０１、１０１Ａ、１１４、１１１５、１１２１、１１２２、１１２３、１１２４、１１２５、１１２６  表示パネル
１０１ａ、１０１Ａａ、１１０１ａ、１１０２ａ  表示面
１０２  走査線駆動回路
１０３  信号線駆動回路
１０４、１０４Ａ１、１０４Ａ２  表示素子（有機ＥＬ素子）
１０５  第１電極
１０６  第２電極
１０７  発光層
１１０  接眼レンズ（第１の接眼レンズ）
１１１  第２の接眼レンズ
１１２  環状レンズ
１１３  レンズ
１２０、１２０Ａ、１２０Ｂ  保持部
１２１  筐体
１２２  支持部材
１２３  仕切り部
１２４  支持部材
１３０  装着部
１４０  ミラー
ＣＮ  制御回路
ＴＲ１  駆動トランジスタ
ＴＲ２  スイッチングトランジスタ
Ｃ１  容量素子
ＳＣ１〜ＳＣｎ  走査線
Ｄ１〜Ｄｍ  信号線
ＰＷ１  電源線
ＯＢ１  観察者
ＨＤ１  頭部
ＥＢ１  眼
【図１】
2015172616.tif 000003
【図２】
2015172616.tif 000004
【図３】
2015172616.tif 000005
【図４】
2015172616.tif 000006
【図５】
2015172616.tif 000007
【図６】
2015172616.tif 000008
【図７】
2015172616.tif 000009
【図８】
2015172616.tif 000010
【図９】
2015172616.tif 000011
【図１０】
2015172616.tif 000012
【図１１】
2015172616.tif 000013
【図１２】
2015172616.tif 000014
【図１３】
2015172616.tif 000015
【図１４】
2015172616.tif 000016
【図１５】
2015172616.tif 000017
【図１６】
2015172616.tif 000018
【図１７】
2015172616.tif 000019
【図１８】
2015172616.tif 000020
【図１９】
2015172616.tif 000021
【図２０】
2015172616.tif 000022
【図２１】
2015172616.tif 000023
【図２２】
2015172616.tif 000024
【図２３】
2015172616.tif 000025
【図２４】
2015172616.tif 000026
【図２５】
2015172616.tif 000027
【図２６】
2015172616.tif 000028
【図２７】
2015172616.tif 000029
【図２８】
2015172616.tif 000030
【図２９】
2015172616.tif 000031
【図３０】
2015172616.tif 000032
【図３１】
2015172616.tif 000033
【図３２】
2015172616.tif 000034
【図３３】
2015172616.tif 000035
【図３４】
2015172616.tif 000036
【図３５】
2015172616.tif 000037
【図３６】
2015172616.tif 000038